(57)【要約】  負荷追従の機能を有する電源装置である。電源装置は、電力を出力する分散電源と、分散電源の出力電力を制御する制御部とを備える。制御部は、電源装置の稼働履歴を含む評価関数を取得し、負荷追従の応答特性及び評価関数に基づいて、電源装置の出力条件を設定する。制御部は、電源装置が接続される系統からの順潮流及び逆潮流を検出する検出器によって順潮流又は逆潮流が検出されると、出力条件に基づき、負荷追従を制御して分散電源から電力を供給する。
2017056502.tif 000002
【特許請求の範囲】
【請求項１】
負荷追従の機能を有する電源装置であって、
電力を出力する分散電源と、
前記分散電源の出力電力を制御する制御部と、を備え、
前記制御部は、前記分散電源の稼働履歴を含む評価関数を取得し、前記負荷追従の応答特性及び該評価関数に基づいて、前記分散電源の出力条件を設定し、前記分散電源が接続される系統からの順潮流及び逆潮流を検出する検出器によって順潮流又は逆潮流が検出されると、前記出力条件に基づき、負荷追従を制御して前記分散電源から電力を供給する、電源装置。
【請求項２】
前記制御部は、前記検出器が検出した値に基づき算出される電力値及び前記系統に接続される複数の電源装置の総数に基づき、前記負荷追従の応答特性をさらに設定する、請求項１に記載の電源装置。
【請求項３】
前記制御部は、
前記分散電源の出力電力の増減が所定の回数以上繰り返されているか否か判定し、
前記分散電源の出力電力の増減が前記所定の回数以上繰り返されている場合、前記検出器が検出した値に基づく前記分散電源の出力電力を低減することをさらに決定する、
前記負荷追従の応答特性は、前記分散電源の低減された出力電力に基づく、請求項１に記載の電源装置。
【請求項４】
前記制御部は、
前記分散電源の出力電力が連続して増加又は減少しているか否か判定し、
前記分散電源の出力電力が連続して増加又は減少していると判定した場合に、さらに前記検出器が検出した値に基づく前記分散電源の出力電力の増減値を増加すると決定し、
前記負荷追従の応答特性は、前記分散電源の増加された出力電力に基づく、請求項３に記載の電源装置。
【請求項５】
負荷追従の機能を有する複数の電源装置と、
系統からの順潮流及び該系統への逆潮流を検出する検出器と、を備え、
前記複数の電源装置は、
電力を出力する複数の分散電源と、
前記複数の分散電源の出力電力をそれぞれ制御する複数の制御部と、を備え、
前記複数の制御部は、前記複数の電源装置の稼働履歴を含む評価関数を取得し、前記負荷追従の応答特性及び該評価関数に基づいて、前記各電源装置の出力条件を設定し、前記検出器によって順潮流又は逆潮流が検出されると、該出力条件に基づき、負荷追従を制御して前記複数の分散電源から電力を供給する、分散電源システム。
【請求項６】
負荷追従の機能を有する複数の電源装置と、系統からの順潮流及び該系統への逆潮流を検出する検出器とを備える分散電源システムの制御方法であって、
前記複数の電源装置の稼働履歴を含む評価関数を取得するステップＡと、
前記負荷追従の応答特性及び前記評価関数に基づいて、各電源装置の出力条件を設定するステップＢと、
前記検出器によって、順潮流及び逆潮流の値を検出するステップＣと、
前記ステップＣにより順潮流又は逆潮流が検出されると、前記出力条件に基づき、負荷追従の制御を行うステップＤと、
前記ステップＤにおける制御に基づき、前記複数の分散電源から電力を供給するステップＥと、
を含む分散電源システムの制御方法。
【請求項７】
前記ステップＡは、前記検出器が検出した値に基づき算出される電力値及び前記複数の電源装置の総数に基づき、前記負荷追従の応答特性を設定するステップをさらに含む、請求項６に記載の分散電源システムの制御方法。
【請求項８】
前記ステップＡは、
前記各電源装置の出力電力の増減が所定の回数以上繰り返されているか否か判定するステップと、
前記各電源装置の出力電力の増減が前記所定の回数以上繰り返されている場合、前記検出器が検出した値に基づく前記各電源装置の出力電力を低減することを決定するステップと、をさらに含み、
前記負荷追従の応答特性は、前記各電源装置の低減された出力電力に基づく、請求項６に記載の分散電源システムの制御方法。
【請求項９】
前記ステップＡは、
前記各電源装置の出力電力が連続して増加又は減少しているか否か判定するステップと、
前記各分散電源の出力電力が連続して増加又は減少していると判定した場合に、前記検出器が検出した値に基づく前記各分散電源の出力電力の増減値を増加すると決定するステップと、をさらに含み、
前記負荷追従の応答特性は、前記前記各分散電源の増加された出力電力に基づく、請求項８に記載の分散電源システムの制御方法。
【発明の詳細な説明】
【関連出願へのクロスリファレンス】
【０００１】
本出願は、日本国特許出願２０１５−１９２２６６号（２０１５年９月２９日出願）の優先権を主張するものであり、当該出願の開示全体を、ここに参照のために取り込む。
【技術分野】
【０００２】
本発明は、電源装置、分散電源システム及びその制御方法に関する。
【背景技術】
【０００３】
近年、燃料電池装置及び蓄電装置等の電源装置の出力をより安定化させるために、複数の電源装置を需要家等に設置させる要求が高まってきている。特許文献１に記載の蓄電システムでは、制御装置によって、各蓄電装置の蓄電池の充電状態（ＳＯＣ（State Of Charge））及び放電回数の監視を行う。さらに、特許文献１に記載の蓄電システムでは、制御装置が、各蓄電池の状態に応じて、使用可能な蓄電池の優先順位を決定することで、優先順位の高い蓄電池から順番に放電するように制御する。
【先行技術文献】
【特許文献】
【０００４】
【特許文献１】特開２０１３−１９２３２７号公報
【発明の概要】
【０００５】
本開示の一実施形態に係る電源装置は、負荷追従の機能を有する電源装置である。該電源装置は、電力を出力する分散電源と、前記分散電源の出力電力を制御する制御部とを備える。前記制御部は、分散電源の稼働履歴を含む評価関数を取得し、前記負荷追従の応答特性及び該評価関数に基づいて、前記分散電源の出力条件を設定する。さらに、前記制御部は、前記分散電源が接続される系統からの順潮流及び逆潮流を検出する検出器によって順潮流又は逆潮流が検出されると、該出力条件に基づき、負荷追従を制御して前記分散電源から電力を供給する。
【０００６】
また、本開示の一実施形態に係る分散電源システムは、負荷追従の機能を有する複数の電源装置と、系統からの順潮流及び該系統への逆潮流を検出する検出器とを備える分散電源システムである。前記複数の電源装置は、電力を出力する複数の分散電源と、前記複数の分散電源の出力電力をそれぞれ制御する複数の制御部とを備える。前記複数の制御部は、前記複数の分散電源の稼働履歴を含む評価関数を取得し、前記負荷追従の応答特性及び該評価関数に基づいて、前記各分散電源の出力条件を設定する。さらに、前記複数の制御部は、前記検出器によって順潮流又は逆潮流が検出されると、該出力条件に基づき、負荷追従を制御して前記複数の分散電源から電力を供給する。
【０００７】
また、本開示の一実施形態に係る分散電源システムの制御方法は、負荷追従の機能を有する複数の分散電源の稼働履歴を含む評価関数を取得するステップＡを含む。さらに、前記分散システムの制御方法は、前記負荷追従の応答特性及び前記評価関数に基づいて、各分散電源の出力条件を設定するステップＢを含む。さらに、前記分散電源システムの制御方法は、系統からの順潮流及び該系統への逆潮流を検出する検出器によって、順潮流及び逆潮流の値を検出するステップＣを含む。さらに、前記分散電源システムの制御方法は、前記ステップＣにより順潮流又は逆潮流が検出されると、前記出力条件に基づき、負荷追従の制御を行うステップＤを含む。さらに、前記分散電源システムの制御方法は、前記ステップＤにおける制御に基づき、前記複数の分散電源から電力を供給するステップＥを含む。
【図面の簡単な説明】
【０００８】
【図１】本開示の第１の実施形態に係る蓄電システムの構成の一例を示す図である。
【図２】本開示の第１の実施形態に係る蓄電システムの動作の一例を示すフローチャートである。
【図３】負荷の消費電力及び蓄電装置の出力の波形の一例を示す図である。
【図４】本開示の第２の実施形態に係る蓄電システムの動作の一例を示すフローチャートである。
【図５】放電される電力値の増減幅が所定の値以上で、かつ放電電力値の増減が繰り返される場合の一例を示す図である。
【図６】再度行われる蓄電装置の放電電力制御の一例を示す図である。
【図７】本開示の他の実施例に係る燃料電池システムの一例を示す図である。
【発明を実施するための形態】
【０００９】
需要家施設と電力事業者の間の契約内容によっては、再生可能エネルギーを利用していない蓄電装置及び燃料電池装置等の電力を、系統（電力事業者）へ逆潮流させられない場合がある。この場合、蓄電装置及び燃料電池装置等の複数の電源装置を備える電源システムでは、複数の電源装置を並列運転させる際に、各電源装置から系統への逆潮流を防止するため、負荷の消費電力に応じて電力量を制御する負荷追従運転が行われる。この負荷追従運転によって、常に、系統から需要家施設へ順潮流が流れるように制御される。
【００１０】
ここで、複数の電源装置を備える電源システムでは、各電源装置の劣化の度合いが平均化されるとよい。しかしながら、負荷追従運転を採用する電源システムでは、複数の電源装置を並列運転させる場合、例えば製造ばらつき等によって、負荷追従性能の高い電源装置が優先的に電力を出力する傾向がある。また、複数の電源装置において、例えば制御タイミングが異なる場合に、制御を開始するタイミングが早い電源装置が優先的に電力を出力してしまうことがある。このようなケースでは、優先的に電力を出力する電源装置が早く劣化してしまうおそれがある。
【００１１】
本実施形態では、電源装置は蓄電装置であるものとして説明する。しかしながら、本開示は負荷追従運転を行う他の電源装置にも適用できる。例えば、電源装置は燃料電池装置であってもよい。
【００１２】
（第１の実施形態）
［システム構成］
本開示の第１の実施形態に係る蓄電システム（分散電源システム）１は、図１に示すように、電流センサ（検出器）１０，１１と、蓄電装置（電源装置）２０，２１とを備える。蓄電システム１は、系統６０に接続して用いられ、負荷７０に電力を供給する。負荷７０は、例えば電気機器等であり、系統６０及び蓄電システム１が供給する電力を消費する。なお、図１では、２つの蓄電装置２０，２１を備える蓄電システム１が示されているが、蓄電システム１の備える蓄電装置の数は、３つ以上であってもよい。また、図１において、各機能ブロックを結ぶ実線は電力線を示す。また、図１において、破線は制御線及び信号線を示す。制御線及び信号線が示す接続は、有線接続であってもよいし、無線接続であってもよい。
【００１３】
電流センサ１０，１１は、系統６０からの電流において、互いに同じ順潮流及び逆潮流の電流値を検出する位置に接続される。図１の例では、電流センサ１０，１１は、それぞれ、系統６０と蓄電装置２０との間に接続されている。電流センサ１０，１１は、それぞれ、系統６０からの順潮流又は系統６０への逆潮流の値を検出し、その検出した値を蓄電装置２０，２１に送信する。
【００１４】
なお、図１では、系統６０と蓄電装置２０との間に２つの電流センサ１０，１１を設ける例が示されているが、系統６０と蓄電装置２０との間に設けられる電流センサの数は１つであってもよい。系統６０と蓄電装置２０との間に設けられる電流センサが１つである場合は、その１つの電流センサが、検出した値を蓄電装置２０，２１に送信する。
【００１５】
蓄電装置２０，２１は、系統６０に接続され負荷７０に電力を供給する。蓄電装置２０は、電力変換部３０、蓄電池（分散電源）４０、記憶部５０を有する。蓄電装置２１は、電力変換部３１、蓄電池（分散電源）４１、記憶部５１を有する。
【００１６】
電力変換部３０，３１は、それぞれ、蓄電池４０，４１の充放電を制御する。電力変換部３０，３１は、蓄電池４０，４１に放電させる際、それぞれ、蓄電池４０，４１が放電した直流電力を交流電力に変換し、負荷７０に供給する。また、電力変換部３０，３１は、蓄電池４０，４１を充電する際、系統６０から供給される交流電力を直流電力に変換して、それぞれ、蓄電池４０，４１に供給し、蓄電池４０，４１を充電する。
【００１７】
なお、電力変換部３０，３１は、それぞれ、電流センサ１０，１１が検出した値に基づき、蓄電池４０，４１の放電電力を制御している。例えば、電力変換部３０，３１は、それぞれ、電流センサ１０，１１によって順潮流が検出されると、蓄電池４０，４１に放電させる。また、例えば、電力変換部３０，３１は、それぞれ、電流センサ１０，１１によって逆潮流が検出されると、蓄電池４０，４１の放電を停止させる等する。なお、この処理は、電力変換部３０，３１が備えるプロセッサを含む制御部３０Ａ，３１Ａによって行われる。この処理の詳細については後述する。
【００１８】
蓄電池４０，４１は、それぞれ、充電された電力を電力変換部３０，３１に放電することで、電力を負荷７０に供給する。また、蓄電池４０，４１は、それぞれ、系統６０から供給される電力によって充電することができる。
【００１９】
記憶部５０，５１は、それぞれ、電力変換部３０，３１の制御に必要な情報（蓄電池４０，４１の放電回数等）、及び、電力変換部３０，３１の各機能を実現する処理内容を記述したプログラムを記憶している。また、記憶部５０，５１は、それぞれ、蓄電装置２０，２１の評価関数を記憶している。評価関数とは、例えば、蓄電装置２０，２１の稼働履歴等を含むものである。
【００２０】
以下、電力変換部３０，３１の機能の詳細について説明する。なお、以下の処理は、上述のように、電力変換部３０，３１がそれぞれ備える制御部３０Ａ，３１Ａの制御に基づき実行される。
【００２１】
まず、電力変換部３０，３１は、それぞれ、記憶部５０，５１から、蓄電装置２０，２１の評価関数を取得する。そして、電力変換部３０，３１は、それぞれ、負荷追従の応答特性及び取得した評価関数に基づいて、蓄電装置２０，２１の出力条件を設定する。以下、第１の実施形態に係る負荷追従の応答特性について説明する。なお、負荷追従の応答特性とは、負荷７０の消費電力に追従するように変化させる蓄電装置２０，２１の放電電力である。
【００２２】
第１の実施形態に係る負荷追従の応答特性は、第１の実施形態に係る電力変換部によって、以下の式（１）で表されるＷＢの電力が、自装置の蓄電池から放電されるように設定される。
ＷＢ＝ＷＳ／ｎ                            式（１）
式（１）において、ＷＳは、電流センサが検出した値に基づき算出される電力値、ｎは、第１の実施形態に係る蓄電システムが備える蓄電装置の総数である。ここで、第１の実施形態に係る蓄電システムでは、電流センサが検出した値に基づく電力値であるＷＳに応じて、蓄電池から放電される電力値であるＷＢを定める（つまり、ＷＢ＝ＷＳを満たすようにＷＢを定める）のではない。第１の実施形態に係る蓄電システムでは、式（１）に示すように、ＷＳを第１の実施形態に係る蓄電システムが備える蓄電装置の総数ｎで除算した値をＷＢとする。
【００２３】
以下、上記式（１）を図１の例で説明する。ＷＢが電力変換部３０によって蓄電池４０から放電される電力値を表す場合、ＷＳは電流センサ１０が検出した値に基づいて算出される値となる。また、ＷＢが電力変換部３１によって蓄電池４１から放電される電力値を表す場合、ＷＳは電流センサ１１が検出した電力値に基づいて算出される値となる。さらに、図１の例では、蓄電システム１が備える蓄電装置２０，２１の数は２つであるため、ｎ＝２となる。これにより、蓄電装置２０，２１の負荷追従の応答特性（つまり、負荷７０の消費電力に追従するように変化させる蓄電装置２０，２１の放電電力）は、それぞれ同等に、負荷７０の消費電力の１／２となる。
【００２４】
なお、上記式（１）おける蓄電システム１が備える蓄電装置２０，２１の総数を示すｎは、蓄電システム１の設置時に設定してもよい。また、電力変換部３０，３１が、それぞれ互いに一定の間隔で瞬間パルスを出力し、電力変換部３０，３１各自で、その瞬間パルスの数を計測することにより、蓄電システム１が備える蓄電装置２０，２１の総数２を得て、ｎ＝２を設定してもよい。
【００２５】
また、蓄電システム１が備える蓄電装置２０，２１の定格出力が異なる場合、式（１）において、蓄電装置２０，２１の総数であるｎで除算する代わりに、蓄電装置２０，２１の定格出力の比率を乗算してもよい。例えば、蓄電装置２０の定格出力がＷ２０、蓄電装置２１の定格出力がＷ２１である場合、蓄電装置２０では、式（１）においてｎで除算する代わりに（Ｗ２０／（Ｗ２０＋Ｗ２１））を乗算する。さらに、蓄電装置２１では、式（１）においてｎで除算する代わりに（Ｗ２１／（Ｗ２０＋Ｗ２１））を乗算する。
【００２６】
電力変換部３０，３１は、それぞれ、上記式（１）により設定された蓄電装置２０，２１の応答特性と、記憶部５０，５１から取得した評価関数とに基づき、蓄電装置２０，２１の出力条件を設定する。
【００２７】
例えば、電力変換部３０，３１は、それぞれ、蓄電装置２０，２１の評価関数に含まれる稼働履歴から稼働時間を算出する。そして、電力変換部３０，３１は、蓄電装置２０，２１の稼働時間の比率と、上記式（１）により設定された蓄電装置２０，２１の応答特性とに基づき、蓄電装置２０，２１の出力条件を設定する。例えば、蓄電装置２０の稼働時間が蓄電装置２１の稼働時間より長い場合、電力変換部３０は、その長さの割合だけ蓄電装置２０の出力電力を上記（１）に基づく値から小さくなるように出力条件を設定する。また、電力変換部３１は、その長さの割合だけ蓄電装置２１の出力電力を上記（１）に基づく値から大きくなるように出力条件を設定する。
【００２８】
また、例えば、電力変換部３０は、蓄電装置２０の出力電力が「出力電力＝ＷＢ＋評価関数（ｘ）」となるように、蓄電装置２０の出力電力を設定する。評価関数（ｘ）は、例えば、以下の式（２）のように表される。
評価関数（ｘ）＝−Δ      （ｘ＞１）
＝＋Δ      （ｘ＜１）        式（２）
式（２）において、Δは、一定値であり、例えば蓄電装置の定格出力の数％〜十数％の値である。また、ｘは蓄電装置２０の稼働時間を蓄電装置２１の稼働時間で除算した値である。
【００２９】
以下、第１の実施形態に係る蓄電システム１の動作について図２を用いて説明する。
【００３０】
［システム動作］
以下では、蓄電装置２０，２１の評価関数は、同等であるものとする。また、電力変換部３０，３１は、電力変換部３０，３１がそれぞれ備える制御部３０Ａ，３１Ａの制御に基づき動作する。
【００３１】
負荷７０の消費電力が増加する。すると、電流センサ１０，１１は、それぞれ、自機器に流れる順潮流の値を検出し（ステップＳ１０１）、その検出した値を、蓄電装置２０，２１に送信する。
【００３２】
次に、電力変換部３０，３１は、上記式（１）で表されるＷＢの電力値が蓄電池４０,４１から放電させるように制御する（ステップＳ１０２）。蓄電池４０，４１は、電力変換部３０，３１の制御に基づき放電する（ステップＳ１０３）。これにより、蓄電池４０，４１からは、それぞれ同等に、負荷７０の消費電力の１／２が放電される。
【００３３】
図３は、負荷７０の消費電力及び蓄電装置２０，２１の出力の波形の一例を示す。図３において、横軸は時刻を示す。また、図３において、縦軸は電力値を示す。なお、図３では、蓄電装置２０の方が蓄電装置２１よりも制御を開始する時刻が早いものとする。
【００３４】
タイミングｔ１で、負荷７０の消費電力が増加する。すると、タイミングｔ２で、蓄電装置２０は、上記式（１）に基づき、負荷７０の消費電力の１／２を出力する。その後、タイミングｔ３で、蓄電装置２１は、上記式（１）に基づき、負荷７０の消費電力の１／２を出力する。
【００３５】
このように、蓄電装置２０，２１の制御タイミングが異なり、蓄電装置２０の方が蓄電装置２１よりも制御を開始する時刻が早い場合であっても、蓄電装置２０が優先的に大きい電力を出力することがない。さらに、蓄電装置２０，２１は、それぞれ同等に、負荷７０の消費電力の１／２を出力する。
【００３６】
なお、上記式（１）に基づく制御は、負荷７０の消費電力が増加し蓄電装置２０，２１の出力を増加させる場合（図３の例ではタイミングｔ１，ｔ２）のみ行ってもよい。この場合、負荷７０の消費電力が減り蓄電装置２０，２１の出力を減らす際は（図３の例ではタイミングｔ４）、電流センサ１０，１１が検出した値に基づく電力値に応じて定まる電力値（上述の例ではＷＢ＝ＷＳを満たすようなＷＢ）を出力させるようにする。これにより、負荷７０の消費電力が減った場合に、蓄電装置２０，２１の負荷追従性能を上げることができるため、負荷７０の消費電力が急激に減ることにより生じる蓄電装置２０，２１から系統６０への逆潮流を防ぐことができる。
【００３７】
以上のように、第1の実施形態に係る蓄電システム１では、他の装置等を使用せずに、蓄電装置２０，２１自身の上記式（１）及び評価関数に基づく制御により、蓄電装置２０，２１は、それぞれ同等に、負荷７０の消費電力の１／２を出力することができる。
【００３８】
さらに、第1の実施形態に係る蓄電システム１では、蓄電池４０，４１において充放電による劣化の度合いを平均化することができ、蓄電システム１全体としての信頼性が向上し、電力の安定供給が可能になる。
【００３９】
また、第１の実施形態に係る蓄電システム１では、例えば蓄電装置２０，２１の制御タイミングがずれている場合でも（図３参照）、蓄電装置２０，２１自身の上記式（１）に基づく制御により、蓄電装置２０，２１の出力を同等にすることができる。
【００４０】
（第２の実施形態）
［システム構成］
第２の実施形態に係る蓄電システムは、第１の実施形態に係る蓄電システム１と同様の構成を採用できるため、以下では、図１を参照し、第１の実施形態との相違点について主に説明する。
【００４１】
まず、第２の実施形態に係る負荷追従の応答特性ついて説明する。以下では、電力変換部３０により負荷追従特性を設定する例を説明する。なお、以下の処理は、電力変換部３０が備える制御部３０Ａの制御に基づき実行される。
【００４２】
電力変換部３０は、電流センサ１０が検出した値に基づき、蓄電池４０の放電電力を制御する。この制御において、最初、電力変換部３０は、電流センサ１０が検出した値に基づき算出される電力値に応じて、蓄電池４０から放電する電力値（上述の例ではＷＢ＝ＷＳを満たすようなＷＢ）を定めることにより、蓄電池４０の放電電力を制御する。
【００４３】
その後、蓄電池４０から放電される電力値の増減幅が所定の値以上で、かつ放電電力値の増減が所定の回数以上繰り返されているか否か判定する。電力変換部３０は、蓄電池４０から放電される電力値の増減幅が所定の値以上で、かつ放電電力値の増減が所定の回数以上繰り返されていると判定した場合、電流センサ１０が検出した値に基づく蓄電池４０の放電電力の増減値を低減すると決定する。そして、電力変換部３０は、上記の蓄電池４０の放電電力の制御を繰り返し行う。
【００４４】
また、電力変換部３０は、蓄電池４０から放電される電力値の増減幅が所定の値以上で、かつ放電電力値の増減が所定の回数以上繰り返されていないと判定した場合、蓄電池４０からの出力が連続して増加又は減少しているか否か判定する。電力変換部３０は、蓄電池４０からの出力が連続して増加又は減少していると判定した場合、電流センサ１０が検出した値に基づく蓄電池４０の放電電力の増減値を増加すると決定する。そして、電力変換部３０は、上記の蓄電池４０の放電電力の制御を繰り返し行う。
【００４５】
以下、第２の実施形態に係る蓄電システム１の動作について図４を用いて説明する。
【００４６】
［システム動作］
以下では、蓄電装置２０，２１の評価関数は、同等であるものとする。また、電力変換部３０，３１は、電力変換部３０，３１がそれぞれ備える制御部３０Ａ，３１Ａの制御に基づき動作する。
【００４７】
負荷７０の消費電力が増加する。すると、電流センサ１０，１１は、それぞれ、自機器に流れる順潮流の値を検出し（ステップＳ２０１）、その検出した値を、蓄電装置２０，２１に送信する。
【００４８】
次に、電力変換部３０，３１は、それぞれ、電流センサ１０，１１が検出した値に基づき、蓄電池４０，４１の放電電力を制御する（ステップＳ２０２）。蓄電池４０，４１は、それぞれ、電力変換部３０，３１の制御に基づき放電する（ステップＳ２０３）。最初に行うステップＳ２０２の処理では、電力変換部３０，３１は、それぞれ、電流センサ１０，１１が検出した値に基づき算出される電力値に応じて、蓄電池４０，４１から放電する電力値（上述の例ではＷＢ＝ＷＳを満たすようなＷＢ）を定める。これにより、電力変換部３０，３１は、それぞれ、蓄電池４０，４１の放電電力を制御する。
【００４９】
その後、電力変換部３０，３１は、蓄電池４０，４１から放電される電力値の増減幅が所定の値以上で、かつ放電電力値の増減が所定の回数以上繰り返されているか否か判定する（ステップＳ２０４）。電力変換部３０，３１は、それぞれ、蓄電池４０，４１から放電される電力値の増減幅が所定の値以上で、かつ放電電力値の増減が所定の回数以上繰り返されていると判定した場合（ステップＳ２０４：Ｙｅｓ）、ステップＳ２０５の処理に進む。また、電力変換部３０，３１は、それぞれ、蓄電池４０，４１から放電される電力値の増減幅が所定の値以上で、かつ放電電力値の増減が所定の回数以上繰り返されていないと判定した場合（ステップＳ２０４：Ｎｏ）、ステップＳ２０６の処理に進む。
【００５０】
図５に、放電される電力値の増減幅が所定の値以上で、かつ放電電力値の増減が繰り返される場合の一例を示す。図５の例では、負荷７０の消費電力は８００Ｗである。また、図５の例では、蓄電装置２０，２１の制御サイクルは４０ｍｓである。また、蓄電装置２０の制御サイクルは、蓄電装置２１の制御サイクルよりも１０ｍｓ進んでいる。また、図５の例では、蓄電装置２０，２１の１サイクルにおける１回の最大放電電力値は５００Ｗとする。なお、これらの条件は、後述の図６においても同様である。
【００５１】
時刻０ｍｓで、電流センサ１０は検出した値を蓄電装置２０に送信する。すると、電力変換部３０は、電流センサ１０が検出した値に基づき、負荷７０の消費電力に対して、出力が８００Ｗ少ない状態であると判定し、蓄電池４０から最大放電電力値である５００Ｗを放電させることを決定する。そして、電力変換部３０は、時刻２０ｍｓで、蓄電池４０に最大放電電力値である５００Ｗを放電させる。これにより、蓄電装置２０，２１の合計出力は５００Ｗとなる。
【００５２】
時刻１０ｍｓで、電流センサ１１は検出した値を蓄電装置２１に送信する。すると、電力変換部３１は、電流センサ１１が検出した値に基づき、負荷７０の消費電力に対して、出力が８００Ｗ少ない状態であると判定し、蓄電池４０から最大放電電力値である５００Ｗを放電させることを決定する。そして、電力変換部３１は、時刻３０ｍｓで、蓄電池４１に最大放電電力値である５００Ｗを放電させる。これにより、蓄電装置２０，２１の合計出力は１０００Ｗとなる。
【００５３】
時刻４０ｍｓで、電流センサ１０は検出した値を蓄電装置２０に送信する。すると、電力変換部３０は、電流センサ１０が検出した値に基づき、負荷７０の消費電力に対して、出力が２００Ｗ大きい状態と判定し、蓄電池４０からの放電電力値を２００Ｗダウンさせることを決定する。そして、電力変換部３０は、時刻６０ｍｓで、蓄電池４０の放電電力値を２００Ｗダウンさせ、蓄電池４０に３００Ｗを放電させる。これにより、蓄電装置２０，２１の合計出力は８００Ｗとなる。
【００５４】
時刻５０ｍｓで、電流センサ１１は検出した値を蓄電装置２１に送信する。すると、電力変換部３１は、電流センサ１１が検出した値に基づき、負荷７０の消費電力に対して、出力が２００Ｗ大きい状態と判定し、蓄電池４１からの放電電力値を２００Ｗダウンさせることを決定する。そして、電力変換部３１は、時刻７０ｍｓで、蓄電池４１の放電電力値を２００Ｗダウンさせ、蓄電池４１に３００Ｗを放電させる。これにより、蓄電装置２０，２１の合計出力は６００Ｗとなる。
【００５５】
時刻８０ｍｓで、電流センサ１０は検出した値を蓄電装置２０に送信する。すると、電力変換部３０は、電流センサ１０が検出した値に基づき、負荷７０の消費電力に対して、出力が２００Ｗ少ない状態と判定し、蓄電池４０の放電電力値を２００Ｗアップさせることを決定する。そして、電力変換部３０は、時刻１００ｍｓで、蓄電池４０の放電電力値を２００Ｗアップさせ、蓄電池４０に５００Ｗを放電させる。これにより、蓄電装置２０，２１の合計出力は８００Ｗとなる。
【００５６】
時刻９０ｍｓで、電流センサ１１は検出した値を蓄電装置２１に送信する。すると、電力変換部３１は、電流センサ１１が検出した値に基づき、負荷７０の消費電力に対して、出力が２００Ｗ少ない状態と判定し、蓄電池４１の放電電力値を２００Ｗアップさせることを決定する。そして、電力変換部３１は、時刻１１０ｍｓで、蓄電池４１の放電電力値を２００Ｗアップさせ、蓄電池４１に５００Ｗを放電させる。これにより、蓄電装置２０，２１の合計出力は８００Ｗとなる。
【００５７】
このように図５の例では、時刻２０ｍｓ以降、蓄電池４０，４１から放電される電力値は、２００Ｗ以上の増減幅で、放電電力値の増減を繰り返し行っている。このような場合、例えば所定の値を１５０Ｗ、所定の回数を１回とした場合、電力変換部３０は、時刻１００ｍｓで、蓄電池４０から放電される電力値の増減幅が所定の値以上で、かつ放電電力値の増減が繰り返されていると判定する。また、電力変換部３１は、時刻１１０ｍｓで、蓄電池４１から放電される電力値の増減幅が所定の値以上で、かつ放電電力値の増減が繰り返されていると判定する。図５は、出力アップの例であるが、出力ダウンについての場合も同様である。
【００５８】
以下、図４の蓄電システム１の動作の説明に戻る。
【００５９】
ステップＳ２０５の処理では、電力変換部３０，３１は、それぞれ、電流センサ１０，１１が検出した値に基づく蓄電池４０，４１の放電電力の増減値を低減すると決定する。そして、電力変換部３０，３１は、それぞれ、ステップＳ２０１からの処理を繰り返し行う。
【００６０】
図６は、再度行われる蓄電装置２０，２１の放電電力制御の一例を示す。なお、図６の例では、ステップＳ２０６の処理により、蓄電池４０，４１からの放電電力の増減値は１／２に低減されているものとする。また、便宜上、図６における最初の時刻を０ｍｓと記載して説明する。
【００６１】
時刻０ｍｓで、電流センサ１０は検出した値を蓄電装置２０に送信する。すると、電力変換部３０は、電流センサ１０が検出した値に基づき、負荷７０の消費電力に対して、出力が２００Ｗ少ない状態と判定し、蓄電池４０からの放電電力値を１００Ｗ（＝２００Ｗ×（１／２））アップさせることを決定する。そして、電力変換部３０は、時刻２０ｍｓで、蓄電池４０からの放電電力値を１００Ｗ（＝２００Ｗ×（１／２））アップさせ、蓄電池４０に４００Ｗを放電させる。これにより、蓄電装置２０，２１の合計出力は７００ｍｓとなる。
【００６２】
時刻１０ｍｓで、電流センサ１１は検出した値を蓄電装置２１に送信する。すると、電力変換部３１は、電流センサ１１が検出した値に基づき、負荷７０の消費電力に対して、出力が２００Ｗ少ない状態と判定し、蓄電池４１からの放電電力値を１００Ｗ（＝２００Ｗ×（１／２））アップさせることを決定する。そして、電力変換部３１は、時刻３０ｍｓで、蓄電池４１の放電電力値を１００Ｗアップさせ、蓄電池４１に４００Ｗを放電させる。これにより、蓄電装置２０，２１の合計出力は８００Ｗとなり、負荷の消費電力８００Ｗと同じになる。
【００６３】
このように、負荷７０の消費電力に対して蓄電池４０，４１の１回当たりの放電電力値が大きく蓄電システム１の出力が増減を繰り返す場合でも、ステップＳ２０１〜Ｓ２０６の処理によって、蓄電池４０，４１の１回当たりの放電電力値を減らすことができる。これにより、本実施形態では、蓄電システム１の出力（蓄電装置２０，２１の合計出力）を安定させることができる。
【００６４】
以下、図４の蓄電システム１の動作の説明に戻る。
【００６５】
ステップＳ２０６の処理では、電力変換部３０，３１は、それぞれ、蓄電池４０，４１からの出力が連続して増加又は減少しているか否か判定する。電力変換部３０，３１は、それぞれ、蓄電池４０，４１からの出力が連続して増加又は減少していると判定した場合（ステップＳ２０６：Ｙｅｓ）、ステップＳ２０７の処理に進む。また、電力変換部３０，３１は、それぞれ、蓄電池４０，４１からの出力が連続して増加又は減少していないと判定した場合（ステップＳ２０６：Ｎｏ）、処理を終了する。
【００６６】
ステップＳ２０７の処理では、電力変換部３０，３１は、それぞれ、電流センサ１０，１１が検出した値に基づく蓄電池４０，４１の放電電力の増減値を増加すると決定する。そして、電力変換部３０，３１は、それぞれ、ステップＳ２０１からの処理を繰り返し行う。
【００６７】
このように、例えば蓄電装置が故障して蓄電システム１内の運転可能な蓄電装置の数が減った場合でも、ステップＳ２０６，Ｓ２０７の処理によって蓄電池４０，４１からの放電電力の増減値を増加させることができる。これにより、本実施形態では、蓄電システム１の出力（蓄電装置２０，２１の合計出力）を安定させることができる。
【００６８】
なお、ステップＳ２０５の処理において、電力変換部３０，３１が、それぞれ互いに一定の間隔で瞬間パルスを出力してもよい。さらに、電力変換部３０，３１が各自で、その瞬間パルスの数を計測することにより蓄電システム１の蓄電装置２０，２１の総数２を得て、その得た総数２に基づき、増減値を低減してもよい。例えば、電力変換部３０，３１がこの瞬間パルスの処理により、蓄電システム１の蓄電装置２０，２１の総数２を得た場合は、それぞれ、増減値を１／２に低減する。
【００６９】
また、ステップＳ２０５の処理において、蓄電システム１が備える蓄電装置２０，２１の定格出力が異なる場合は、蓄電装置２０，２１の定格出力の比率に応じて、増減値を低減してもよい。
【００７０】
以上のように、第２の実施形態に係る蓄電システム１では、他の装置等を使用せずに、蓄電装置２０，２１自身で出力の増減値の増加又は低減を行うことで、蓄電装置２０，２１は、劣化の度合いを平均化することができる。
【００７１】
さらに、第２の実施形態に係る蓄電システム１では、蓄電装置２０，２１自身での出力の増減値の増加又は低減によって、蓄電池４０，４１において充放電による劣化の度合いを平均化することができる。これにより、本実施形態では、蓄電システム１全体としての信頼性が向上し、電力の安定供給が可能になる。
【００７２】
また、第２の実施形態に係る蓄電システム１では、例えば蓄電装置２０，２１の制御サイクル（図５及び図６参照）がずれることで、蓄電装置２０，２１の制御タイミングがずれている場合でも、蓄電装置２０，２１の出力を同等にすることができる。
【００７３】
なお、本開示の一実施形態に係る電源システムは、上記の蓄電システム１に限定されない。本開示の一実施形態に係る電源システムは、燃料電池システムであってもよい。以下、本開示の一実施形態に係る電源システムを燃料電池システムとする例を、他の実施例として説明する。
【００７４】
（他の実施例）
燃料電池システム１ａは、図７に示すように、電流センサ１０，１１と、燃料電池装置（電源装置）２０ａ，２１ａとを備える。図７では、２つの燃料電池装置２０ａ，２１ａを備える燃料電池システム１ａが示されているが、燃料電池システム１ａが備える燃料電池装置の数は、３つ以上であってもよい。なお、図７に示す構成要素で図１に示す構成要素と同一のものは同一符号を付し、その説明を省略する。
【００７５】
燃料電池装置２０ａ，２１ａは、系統６０に接続され負荷７０に電力を供給する。燃料電池装置２０ａは、電力変換部３０、燃料電池４０ａ、記憶部５０を有する。燃料電池装置２１ａは、電力変換部３１、燃料電池４１ａ、記憶部５１を有する。
【００７６】
燃料電池４０ａ，４１ａは、電気化学反応により電気を発生させるものである。燃料電池４０ａ，４１ａには、例えば、固体高分子形燃料電池（ＰＥＦＣ（Polymer Electrolyte Fuel Cell)）又は固体酸化物形燃料電池（ＳＯＦＣ（Solid Oxide Fuel Cell））等を用いることができる。
【００７７】
図７に示すような燃料電池システム１ａであっても、第１の実施形態及び第２の実施形態に係る蓄電システム１と同様の制御及び効果を実現することができる。また、負荷追従運転を行う発電機にも、本開示を適用することができる。
【００７８】
なお、上記では、需要家施設と電力事業者の間の契約内容によって、再生可能エネルギーを利用していない蓄電装置及び燃料電池装置等の電力を、系統（電力事業者）へ逆潮流させられない場合について説明した。しかしながら、本実施形態は、蓄電装置及び燃料電池装置等の電力を、系統（電力事業者）へ逆潮流させ得る場合についても適用可能である。
【００７９】
本開示の一実施形態を諸図面及び実施例に基づき説明してきたが、当業者であれば本開示に基づき種々の変形及び修正を行うことが容易であることに注意されたい。従って、これらの変形及び修正は本開示の範囲に含まれることに留意されたい。例えば、各構成部、各ステップ等に含まれる機能等は論理的に矛盾しないように再配置可能であり、複数の構成部及びステップ等を１つに組み合わせたり、或いは分割したりすることが可能である。
【００８０】
本開示内容の制御は、プログラム命令を実行可能なコンピュータシステムその他のハードウェアによって実行される、一連の動作として示される。コンピュータシステムその他のハードウェアには、例えば、汎用コンピュータ、ＰＣ（Personal Computer）、専用コンピュータ、ワークステーション、又はその他のプログラム可能なデータ処理装置が含まれる。各実施形態では、種々の動作は、プログラム命令（ソフトウェア）で実装された専用回路（例えば、特定機能を実行するために相互接続された個別の論理ゲート）によって実行されることに留意されたい。また、種々の動作は、１つ以上のプロセッサによって実行される論理ブロック及びプログラムモジュール等によっても実行されることに留意されたい。論理ブロック及びプログラムモジュール等を実行する一以上のプロセッサには、例えば、１つ以上のマイクロプロセッサ、ＣＰＵ（Central Processing Unit）、ＤＳＰ（Digital Signal Processor）が含まれる。また、一以上のプロセッサには、例えば、ＡＳＩＣ（Application Specific Integrated Circuit）、ＰＬＤ（Programmable Logic Device）、ＦＰＧＡ（Field Programmable Gate Array）、が含まれる。また、一以上のプロセッサには、例えば、コントローラ、マイクロコントローラ、電子機器、ここに記載する機能を実行可能に設計されたその他の装置、及び／又は、これらいずれかの組合せが含まれる。ここに示す実施形態は、例えば、ハードウェア、ソフトウェア、ファームウェア、ミドルウェア、マイクロコード又はこれらいずれかの組合せによって実装される。
【００８１】
ここで用いられるネットワークには、他に特段の断りがない限りは、インターネット、アドホックネットワーク、ＬＡＮ(Local Area Network)、セルラーネットワーク、もしくは他のネットワーク又はこれらいずれかの組合せが含まれる。
【符号の説明】
【００８２】
１  蓄電システム
１０，１１  電流センサ（検出器）
２０，２１  蓄電装置（電源装置）
３０，３１  電力変換部
３０Ａ,３１Ａ  制御部
４０，４１  蓄電池（分散電源）
５０  記憶部
１ａ  燃料電池システム
２０ａ，２１ａ  燃料電池装置（電源装置）
４０ａ，４１ａ  燃料電池（分散電源）
６０  系統
７０  負荷
【図１】
2017056502.tif 000003
【図２】
2017056502.tif 000004
【図３】
2017056502.tif 000005
【図４】
2017056502.tif 000006
【図５】
2017056502.tif 000007
【図６】
2017056502.tif 000008
【図７】
2017056502.tif 000009
【国際調査報告】
2017056502.tif 000010
2017056502.tif 000011
2017056502.tif 000012
2017056502.tif 000013